【手続補正書】
【提出日】平成16年6月9日(2004.6.9)
【手続補正１】
【補正対象書類名】明細書
【補正対象項目名】特許請求の範囲
【補正方法】変更
【補正の内容】
【特許請求の範囲】
【請求項１】
人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部内臓脂肪面積を求めることを特徴とする方法。
【請求項２】
人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部内臓脂肪量を求めることを特徴とする方法。
【請求項３】
人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部皮下脂肪面積を求めることを特徴とする方法。
【請求項４】
人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部皮下脂肪量を求めることを特徴とする方法。
【請求項５】
人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部内臓脂肪面積と腹部皮下脂肪面積とを求めることを特徴とする方法。
【請求項６】
人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部内臓脂肪量と腹部皮下脂肪量とを求めることを特徴とする方法。
【請求項７】
人体の体脂肪分布を測定する方法において、生体電気インピーダンスおよび腹部皮下脂肪厚を測定し、腹部周径囲を測定し、該測定された生体電気インピーダンス、腹部皮下脂肪厚および腹部周径囲と性別、年令、身長、体重等の個人的パラメータとに基づいて腹部内臓脂肪面積を求めることを特徴とする方法。
【請求項８】
人体の体脂肪分布を測定する方法において、生体電気インピーダンスおよび腹部皮下脂肪厚を測定し、腹部周径囲を測定し、該測定された生体電気インピーダンス、腹部皮下脂肪厚および腹部周径囲と性別、年令、身長、体重等の個人的パラメータとに基づいて腹部内臓脂肪量を求めることを特徴とする方法。
【請求項９】
人体の体脂肪分布を測定する方法において、生体電気インピーダンスおよび腹部皮下脂肪厚を測定し、腹部周囲径を測定し、該測定された生体電気インピーダンス、腹部皮下脂肪厚および腹部周囲径と性別、年令、身長、体重等の個人的パラメータとに基づいて腹部皮下脂肪面積を求めることを特徴とする方法。
【請求項１０】
人体の体脂肪分布を測定する方法において、生体電気インピーダンスおよび腹部皮下脂肪厚を測定し、腹部周囲径を測定し、該測定された生体電気インピーダンス、腹部皮下脂肪厚および腹部周囲径と性別、年令、身長、体重等の個人的パラメータとに基づいて腹部皮下脂肪量を求めることを特徴とする方法。
【請求項１１】
前記腹部皮下脂肪厚は、超音波により測定する請求項１から１０のうちのいずれか１つに記載の方法。
【請求項１２】
前記腹部皮下脂肪厚は、スキンホールドキャリパーにより測定する請求項１から１０のうちのいずれか１つに記載の方法。
【請求項１３】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪面積を演算するための演算手段とを備えることを特徴とする装置。
【請求項１４】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪量を演算するための演算手段とを備えることを特徴とする装置。
【請求項１５】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部皮下脂肪面積を演算するための演算手段とを備えることを特徴とする装置。
【請求項１６】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部皮下脂肪量を演算するための演算手段とを備えることを特徴とする装置。
【請求項１７】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部内臓脂肪面積を演算するための演算手段とを備えることを特徴とする装置。
【請求項１８】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部内臓脂肪量を演算するための演算手段とを備えることを特徴とする装置。
【請求項１９】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部皮下脂肪面積を演算するための演算手段とを備えることを特徴とする装置。
【請求項２０】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、腹部周径囲を入力するための第３の入力手段と、前記第１の入力手段、測定手段、第２の入力手段および第３の入力手段からのデータに基づいて腹部皮下脂肪量を演算するための演算手段とを備えることを特徴とする装置。
【請求項２１】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪面積と腹部皮下脂肪面積とを演算するための演算手段とを備えることを特徴とする装置。
【請求項２２】
人体の体脂肪分布を測定する装置において、性別、年令、身長、体重等の個人的パラメータを入力する第１の入力手段と、生体電気インピーダンスを測定するための測定手段と、腹部皮下脂肪厚を入力するための第２の入力手段と、前記第１の入力手段、測定手段および第２の入力手段からのデータに基づいて腹部内臓脂肪量と腹部皮下脂肪量とを演算するための演算手段とを備えることを特徴とする装置。
【請求項２３】
前記第２の入力手段は、超音波プローブを備える請求項１３から２２のうちのいずれか１つに記載の装置。
【請求項２４】
前記超音波プローブによる検出データは、無線通信手段または光通信手段により前記演算手段へ送信される請求項２３記載の装置。
【請求項２５】
前記第２の入力手段は、スキンホールドキャリパーを備える請求項１３から２２のうちのいずれか１つに記載の装置。
【請求項２６】
前記スキンホールドキャリパーによる検出データは、無線通信手段または光通信手段により前記演算手段へ送信される請求項２５記載の装置。
【請求項２７】
人体の体脂肪分布を測定する装置において、腹部内臓脂肪面積を演算する第１演算手段と、腹部皮下脂肪面積を演算する第２演算手段と、前記第１演算手段で演算された腹部内臓面積を、前記第２演算手段で演算された腹部皮下脂肪面積で除算することにより肥満の型を判断する判断手段とを備えたことを特徴とする装置。
【手続補正２】
【補正対象書類名】明細書
【補正対象項目名】０００６
【補正方法】変更
【補正の内容】
【０００６】
【課題を解決するための手段】
本発明の一つの観点によれば、人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部内臓脂肪面積または量を求めることを特徴とする方法が提供される。
【手続補正３】
【補正対象書類名】明細書
【補正対象項目名】０００７
【補正方法】変更
【補正の内容】
【０００７】
本発明の別の観点によれば、人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部皮下脂肪面積または量を求めることを特徴とする方法が提供される。
【手続補正４】
【補正対象書類名】明細書
【補正対象項目名】０００８
【補正方法】変更
【補正の内容】
【０００８】
本発明のさらに別の観点によれば、人体の体脂肪分布を測定する方法において、生体電気インピーダンスおよび腹部皮下脂肪厚を測定し、該測定された生体電気インピーダンスおよび腹部皮下脂肪厚と性別、年令、身長、体重等の個人的パラメータとに基づいて腹部内臓脂肪面積または量と腹部皮下脂肪面積または量とを求めることを特徴とする方法が提供される。
【手続補正５】
【補正対象書類名】明細書
【補正対象項目名】０００９
【補正方法】変更
【補正の内容】
【０００９】
本発明のさらに別の観点によれば、人体の体脂肪分布を測定する方法において、生体電気インピーダンスおよび腹部皮下脂肪厚を測定し、腹部周径囲を測定し、該測定された生体電気インピーダンス、腹部皮下脂肪厚および腹部周径囲と性別、年令、身長、体重等の個人的パラメータとに基づいて腹部内臓脂肪面積または量を求めることを特徴とする方法が提供される。
【手続補正６】
【補正対象書類名】明細書
【補正対象項目名】００４５
【補正方法】変更
【補正の内容】
【００４５】
腹部皮下脂肪面積≒腹部皮脂厚×ウエスト
そこで、上記の腹部皮下脂肪面積推定値と実測値との関係を図１６に示す（横軸は推定値＝ウエスト×腹部皮脂厚）。結果より、実際の人体は真円ではないため、実測値と推定値の隔たりはあるが、回帰線はほぼ直線であり、ウエストと皮脂厚を測定することにより、腹部皮下脂肪面積または量を推定することが可能である。また、測定法をより簡便にすべく、腹部皮脂厚と腹部皮下脂肪面積の実測値との相関を図１０に示す。結果より、相関性があることから、回帰線より腹部皮脂厚から腹部皮下脂肪面積または量を推定することが可能である。
Ａ．（３）腹部内臓脂肪面積／腹部皮下脂肪面積の算出
腹部内臓脂肪面積または量を腹部総脂肪面積または量から腹部皮下脂肪面積または量を引くことにより求め、腹部内臓脂肪面積または量／腹部皮下脂肪面積または量を求める。
Ｂ．（１）腹部内臓脂肪面積の算出
腹部内臓脂肪面積または量を総脂肪量との相関より求める（図１１参照）。
Ｂ．（２）腹部皮下脂肪面積の算出
腹部皮下脂肪面積または量を腹部皮脂厚または腹部皮脂厚×ウエスト等との相関より求める（図１０または図１６参照）。上記Ａ．（２）項の説明参照。
Ｂ．（３）腹部内臓脂肪面積／腹部皮下脂肪面積の算出
Ｃ．（１）総皮下脂肪量の算出
総皮下脂肪量を皮脂厚または皮脂厚×体重0.425×身長0.725との相関より求める（図１２または図１５参照）。
【手続補正７】
【補正対象書類名】明細書
【補正対象項目名】００５１
【補正方法】変更
【補正の内容】
【００５１】
一方、簡便な式により総皮下脂肪を求める方法としては、腹部の皮脂厚と総皮下脂肪量の相関性を求め、その回帰線より皮脂厚から、総皮下脂肪量を推定することも可能である。その結果を図１２に示す。相関性があることから、回帰線より皮脂厚から総皮下脂肪量を推定することが可能である。
Ｃ．（２）内臓脂肪量の算出
内臓脂肪量を総脂肪量から皮下脂肪量を引くことにより求める。
Ｃ．（３）腹部皮下脂肪面積の算出
腹部皮下脂肪面積を腹部皮脂厚または皮脂厚×ウエストまたは総皮下脂肪量との相関より求める（図１０または図１３または図１６参照）。上記Ａ．（２）項の説明参照。
Ｃ．（４）腹部内臓脂肪面積の算出
腹部内臓脂肪面積を内臓脂肪量との相関より求める（図１４参照）。
Ｃ．（５）腹部内臓脂肪面積／腹部皮下脂肪面積の算出
次に、内臓脂肪の判定基準について説明するに、現在、糖尿病等の生活習慣病に関する影響因子として、皮下脂肪型肥満よりも内臓脂肪型肥満に多いとされている。そこで、両者の境界として、ＣＴスキャンやＭＲＩによりヘソ部の断面画像より、皮下脂肪面積と内臓脂肪面積を出し、内臓脂肪面積／皮下脂肪面積が０．４以上であれば内臓脂肪型肥満、０．４未満であるならば皮下脂肪型肥満とされている。